(57)【要約】【課題】芯材を備えたシートを用いたシートシャッターにおいて、シートとサイドフレームの密着度を高めることを可能にすること。【解決手段】上部フレーム３と上部フレーム３の両端近傍下側に略垂直方向に連結した左右のサイドフレーム４とで構成されたフレーム２と、フレーム２内に吊り下げられたシート５と、上部フレーム３内に回動自在に備えられるとともに駆動手段７に連結された回転シャフト６と、回転シャフト６に一端が固着されるとともにシート５を支持しながら他端が上部フレーム３内に固定された牽引部材８と、シート５に上下方向に間隔を置いて左右方向に向けて備えた芯材１０と、を備え、芯材１０は、シート５の一方側の面に連結した芯材収容部９内に収容し、サイドフレーム４は、シート５の両端部分の表面あるいは裏面が当接する箇所に上下方向に向けてシール部材１１を備えた、ことを特徴とする。【選択図】図７
2010248717.tif 000002
【特許請求の範囲】
【請求項１】
上部フレーム（３）と、該上部フレーム（３）の両端近傍下側に略垂直方向に連結した横断面形状を溝型鋼形状とした左右のサイドフレーム（４）とで構成されたフレーム（２）と、
該フレーム（２）内に吊り下げられたシート（５）と、
前記上部フレーム（３）内に回動自在に備えられるとともに駆動手段（７）に連結された回転シャフト（６）と、
該回転シャフト（６）に一端が固着されるとともに、前記シート（５）を支持しながら他端が前記上部フレーム（３）内に固定された牽引部材（８）と、
前記シート（５）に上下方向に間隔を置いて、左右方向に向けて備えた芯材（１０）と、を備えたシートシャッター（１）であって、
前記芯材（１０）は、前記シート（５）の一方側の面にシート（５）の幅方向に向けて連結した袋状の芯材収容部（９）内に収容し、
前記サイドフレーム（４）は、その内部における前記シート（５）の両端部分の表面あるいは裏面が当接する箇所に上下方向に向けてシール部材（１１）を備えるとともに、該シール部材（１１）の外側において前記シート（５）の上下方向に亘ってシート（５）に当接するフィン（１２）を備えた、ことを特徴とするシートシャッター。
【請求項２】
前記サイドフレーム（４）内における前記シール部材（１１）に対向する箇所の下方部分に、前記シール部材（１１）側に突出した仕切り板（１３）を備えたことを特徴とする請求項１に記載のシートシャッター。
【請求項３】
前記シール部材（１１）が中空のゴム製であることを特徴とする請求項１又は請求項２に記載のシートシャッター。
【発明の詳細な説明】
【技術分野】
【０００１】
本発明はシートシャッターに係り、より詳しくは、シートシャッターを構成するシートとフレームとの密閉度を高めて、シートとフレームとの間の隙間を介してゴミ等が屋内に侵入することを防止可能としたシートシャッターに関する。
【背景技術】
【０００２】
従来から、工場、倉庫等においては、外部からのゴミ、虫等の侵入を防止するために、出入り口にシートシャッターを取り付けることが行われている。そして、このシートシャッターによって出入り口を閉鎖することで、ゴミ、虫等が工場内、倉庫内に入り込むことが防止可能である。
【０００３】
ここで、従来のシートシャッターについて説明すると、図８は従来のシートシャッター３１を説明するための図であり、図８において、従来のシートシャッター３１は、倉庫、工場等の出入口に取り付けられる上部フレーム３３及び左右のサイドフレーム３４によりゲート型のフレーム３２が構成されており、このフレーム３２により囲まれた空間に、シート３５が、巻き上げ及び巻きほどき自在に吊り下げられている。
【０００４】
即ち、前記上部フレーム３３内には図示しない回転シャフトが回転自在に取り付けられるとともに、この回転シャフトには、これを回転させるための駆動手段であるモーターが連結されている。
【０００５】
また、前記回転シャフトには、牽引部材であるベルト３６の一端が固着されており、このベルト３６の他端は、上部フレーム３３内の任意の位置に固定されている。
【０００６】
更に、前記上部フレーム３３内には吊り下げシャフトが備えられており、この吊り下げシャフトにシート３５が吊り下げられており、このシート３５は、フレーム３２で囲まれた空間を閉鎖可能としているとともに、前記ベルト３６で支持されている。即ち、前記ベルト３６は、前記シート３５の表裏を下部から架け渡しながら他端が上部フレーム３３内に固定されている。
【０００７】
そして、このような構成において、モーターを駆動させて回転シャフトを回転させと、ベルト３６が回転シャフトに巻き取られるとともに、このベルト３６で支持しているシート３５が上昇していき、一方、モーターを前記と逆方向に回転させて、回転シャフトを前記と逆方向に回転させると、回転シャフトに巻き取られていたベルト３６が巻きほどかれ、これにより、ベルト３６で支持しているシート３５を下降することが可能である。
【０００８】
ところで、このように構成される従来のシートシャッターでは、強風が吹いたときの対抗のために、前記シート３５には、上下方向に向けて間隔を置いて、左右の幅方向に向けて芯材を内蔵していた。
【０００９】
この芯材について説明すると、図９は、前記シート３５の一部の縦断側面構造を示す図であり、図において３８が芯材である。即ち、従来のシートシャッター３１では、シートの上下方向に向けて一定の間隔を置いて、シート３５の内部に、シート３５の幅方向に向けて中空とした細長袋状の芯材収容部３７を形成しており、この芯材収容部３７内に、シート３５の幅とほぼ等しい長さの芯材３８を収容していた。
【００１０】
そしてこれにより、強風がシートに吹き付けた場合でもシートが大きく揺れ、あるいは捲れてしまうことを防止していた。
【先行技術文献】
【特許文献】
【００１１】
【特許文献１】特開２００９−２４３３３号公報
【発明の概要】
【発明が解決しようとする課題】
【００１２】
ここで、図１０は従来のシートシャッター３１の横断平面を示した図であるが、一般的にシートシャッターでは、シート３５の左右の幅方向の両端部分がサイドフレーム３４内に位置しているとともに、このサイドフレーム３４内に位置している部分は、工場、倉庫等の屋内側に面する面は上下方向に沿って、サイドフレーム３４の内壁に当接し、これにより、ゴミ、虫等がシート３５の左右の端部分とサイドフレーム３４との間から屋内に侵入することを防止している。
【００１３】
しかしながら、従来のシートシャッターでは、強風が吹いたときの対向のために、シート内に芯材収容部を形成するとともに、この芯材収容部内に芯材を収容していたために、図９に示されるように、芯材３８を収容している箇所が他の箇所よりも、表裏面双方に向けて膨らんでしまっており、そのために、サイドフレーム３４内に位置している部分の表面あるいは裏面の上下方向に沿った全域を、サイドフレーム３４の内壁に当接させることができなかった。
【００１４】
そのために、従来のシートシャッターでは、何らの手当をしない場合には、サイドフレームとシートとの密閉度とを確保することが困難であり、それにより、ゴミ、虫等が屋内に侵入するおそれが高くなっていた。
【００１５】
そこで、本発明は、芯材を備えたシートを用いたシートシャッターにおいて、シートとサイドフレームとの密閉度を高め、ゴミ、虫等が屋内に侵入することを有効に防止可能なシートシャッターを提供することを課題としている。
【課題を解決するための手段】
【００１６】
本発明のシートシャッターは、
上部フレームと、該上部フレームの両端近傍下側に略垂直方向に連結した横断面形状を溝型鋼形状とした左右のサイドフレームとで構成されたフレームと、
該フレーム内に吊り下げられたシートと、
前記上部フレーム内に回動自在に備えられるとともに駆動手段に連結された回転シャフトと、
該回転シャフトに一端が固着されるとともに、前記シートを支持しながら他端が前記上部フレーム内に固定された牽引部材と、
前記シートに上下方向に間隔を置いて、左右方向に向けて備えた芯材と、を備えたシートシャッターであって、
前記芯材は、前記シートの一方側の面にシートの幅方向に向けて連結した袋状の芯材収容部内に収容し、
前記サイドフレームは、その内部における前記シートの両端部分の表面あるいは裏面が当接する箇所に上下方向に向けてシール部材を備えるとともに、該シール部材の外側において前記シートの上下方向に亘ってシートに当接するフィンを備えた、ことを特徴としている。
【発明の効果】
【００１７】
本発明のシートシャッターでは、シートの一方側の面にシートの幅方向に向けて袋状の芯材収容部を連結し、この芯材収容部内に芯材を収容している。
【００１８】
このように、本発明のシートシャッターでは、芯材収容部をシートの一方の面に備えているために、シートにおける、芯材を収容している箇所が表裏面の双方に向けて膨らんでしまうことがなく、芯材収容部を備えている面のみが膨らむことになる。従って、本発明のシートシャッターでは、シートにおける、サイドフレームと当接する側の反対側の面に芯材収容部を備えることで、シートとサイドフレームとの密閉度を高めることが可能である。
【００１９】
そしてそのとき、本発明のシートシャッターでは、サイドフレーム内におけるシートの両端部分の表面あるいは裏面が当接する箇所に、上下方向に向けてシール部材を備え、更に、サイドフレームの外側にはシートに当接するフィンを有しているために、シートとサイドフレームとの密閉度を更に高め、ゴミ、虫等が屋内に侵入することを確実に防止することが可能である。
【図面の簡単な説明】
【００２０】
【図１】本発明のシートシャッターの実施例を示した斜視図である。
【図２】本発明のシートシャッターの実施例の一部の横断平面を示した図である。
【図３】本発明のシートシャッターの実施例の駆動機構を説明するための図である。
【図４】本発明のシートシャッターの実施例の駆動機構を説明するための図である。
【図５】本発明のシートシャッターの実施例の駆動機構を説明するための図である。
【図６】本発明のシートシャッターの実施例における芯材収容部を説明するための図である。
【図７】図２におけるＡ−Ａ線断面構造を示した図であり、本発明のシートシャッターの実施例のサイドフレーム内を示している。
【図８】従来のシートシャッターを説明するための図である。
【図９】従来のシートシャッターにおける芯材収容部を説明するための断面図である。
【図１０】従来のシートシャッターの横断平面構造を示した図である。
【発明を実施するための形態】
【００２１】
本発明のシートシャッターは、倉庫、工場等の出入口に取り付けられるフレームと、このフレームで囲まれた開口を閉鎖可能な配置でフレーム内に吊り下げられたシートを有している。
【００２２】
そして、フレームは、上部フレームと、この上部フレームの両端近傍下側に略垂直方向に連結した左右のサイドフレームとで構成されて全体としてゲート型としており、サイドフレームはそれぞれ、横断面形状を溝型鋼形状としており、開口している側を互いに対向させて配置され、サイドフレーム内にシートの幅方向の両端部分が挿装されている。
【００２３】
また、上部フレーム内には回転シャフトが回動自在に備えられており、この回転シャフトは、モーター等の駆動手段に連結され、駆動手段を駆動することで回転シャフトを回動自在としている。
【００２４】
更に、この回転シャフトには、ベルト等の牽引部材の一端が固着されており、この牽引部材は、前記シートの表裏を下部から架け渡しながら、前記上部フレーム内の任意の箇所に他端が固定されている。
【００２５】
そして、前記シートの一方側の面には、上下方向に間隔を置いて、シートの幅方向に向けて、袋状とした芯材収容部が備えられており、この芯材収容部内には丸棒状の芯材が収容されている。
【００２６】
また、前記サイドフレーム内において、前記シートの両端部分の表面あるいは裏面が当接する箇所には、上下方向に向けて、ゴム等によるシール部材が備えられている。
【００２７】
更に、前記サイドフレームはフィンを備えており、このフィンは、前記シール部材の外側において、前記シートの上下方向に亘ってシートに当接し、これによって、前記シール部材と相まって、シートとサイドフレームとの密閉度を更に高めている。
【００２８】
ここで、前記サイドフレーム内において、前記シール部材が備えられた箇所に対向する箇所の下方部分に、前記シール部材側に突出した仕切り板を備えるとよく、これにより、風等によりシートが揺れて密閉度が損なわれることを防止することができる。
【実施例１】
【００２９】
本発明のシートシャッターの実施例について図面を参照して説明すると、図１は本実施例のシートシャッターの一部を示した斜視図であり、図において１が本実施例のシートシャッターである。
【００３０】
そして、本実施例のシートシャッター１では、上部フレームを有している。即ち、図１において３が上部フレームであり、本実施例において、前記上部フレーム３の両端近傍の下側には、略垂直方向に、略溝型鋼形状の左右のサイドフレーム４が、開口が互いに対向する配置で連結され、上部フレーム３と左右のサイドフレーム４とで、ゲート型のフレーム２が構成され、このフレーム２を工場、倉庫等の出入り口に取り付けることとしている。
【００３１】
また、前記フレーム２内には吊り下げ用シャフト１４が幅方向に向けて備えられ、この吊り下げ用シャフト１４を介して、フレーム２で囲まれた空間を閉鎖可能な配置でシート５が吊り下げられており、このシート５を上昇あるいは下降することで、工場、倉庫等の出入り口を開閉自在としている。
【００３２】
ここで、前記シート５を上昇あるいは下降させるための機構について図３乃至図５を参照して説明すると、図３は前記上部フレーム３内の構造を示す図であり、図４及び図５はシート５を上昇あるいは下降させる機構を説明するための図である。
【００３３】
そして、前記上部フレーム３内には、左右方向に向けて、回転シャフト６が、回動自在に配設されており、この回転シャフト６は駆動手段としてのモーター７の回転軸に連結されており、これにより、モーター７を駆動することで回転シャフト６を回動可能としている。
【００３４】
次に、前記回転シャフト６には、牽引部材としてのベルト８の一端が、プーリー１５を介して固着されており、このベルト８は、前記シート５の表裏を下部から架け渡しながら、その他端が、前記上部フレーム３内の任意の箇所に固定され、これにより前記ベルト８は、シート５を支持しながら上昇可能としている。
【００３５】
即ち、図４において、回転シャフト６をモーター７により矢印方向に回転させると、一端がこの回転シャフト６に固着されたベルト８が回転シャフト６に巻き取られていきその下端部分が上昇していく。そうすると、このベルト８の上昇にともなって、このベルト８で支持しているシート５が巻き上げられ、これによって、シート５を上昇させることが可能となる。このシート５を上昇している状態を示す図が図５である。
【００３６】
そして、シート５を完全に上昇させた状態において、前記回転シャフト６を前記と逆方向に回転させると、回転シャフト６に巻き取られていたベルト８が巻きほどかれ、これによりシート５を下降させることが可能となる。このシート５を下降させた状態を示す図が図４である。従って、本実施例のシートシャッター１は、従来のシートシャッターと同様に、モーター７の駆動によってシート５を上昇あるいは下降させて、工場、倉庫等の出入り口を開閉可能としている。
【００３７】
次に、本実施例のシートシャッター１では、前記シート５に、上下方向に間隔を置いて、左右方向に向けて芯材を備えており、この芯材によって、強風が吹いた場合でもシート５が十分に対抗できるようにしている。
【００３８】
そして、本実施例のシートシャッター１において前記芯材は、シート５の一方側の面にのみ備えることとしている。
【００３９】
この芯材について説明すると、図６（ａ）は、前記シート５における芯材部分近傍の縦断側面構造を示す図であり、本実施例のシートシャッター１では、シート５の一方側の面、より具体的には、シート５における、工場、倉庫等の外部側の面に、上下方向に間隔を置いて、左右の幅方向に向けた袋状の芯材収容部９を連結しており、この芯材収容部９内に丸パイプの芯材１０を、左右の幅方向全域に亘って収容している。
【００４０】
従って、図６からも明らかなように、本実施例のシートシャッター１では、芯材１０を備えた面と反対側の面は全面に亘りフラットにすることができるため、これにより、芯材を収容している箇所の表裏面双方が膨らんでしまっている従来のシートシャッターと異なり、シート５におけるフラットな面とサイドフレーム４とを密着させることができ、建物内の密閉度を高めることが可能である。
【００４１】
なお、図６（ｂ）はシート５の下端部分の縦断側面を示しており、本実施例におけるシート５の下端部分では、下端部分近傍を、前記芯材収容部９を連結した側に折り返して芯材収容部９を形成し、この芯材収容部９内に芯材１０を収容している。
【００４２】
また、図６（ｂ）において１６はフィンである。即ち、本実施例においては、前記シート５の下端部分に、シート５の幅方向全域に亘り、柔軟なゴム製によるフィン１６を連結しており、シート５を下降させてシート５の下端に備えた芯材１０が床面近傍に至った際に、フィン１６が床面に当接して、シート５と床面とを完全にシールすることを可能としている。
【００４３】
次に、図２は、サイドフレーム４の一方側の近傍の横断平面を示した図、図７は図２のＡ−Ａ線断面構造を示す図であり、図において１１は、サイドフレーム４とシート５との密着度を高めるためのシール部材である。
【００４４】
即ち、シート５の一方側の面に芯材１０備えて芯材１０を備えた面と反対側の面をフラットにすることのみでは、シート５のフラットな面とサイドフレーム４との密着度をより高めることは困難であるため、本実施例のシートシャッター１では、前記サイドフレーム４内において、前記シート５のフラットな面に対向する箇所に、上下方向全域に亘り、シール部材１１を備え、前記シート５がこのシール部材１１に当接することとし、これにより、シート５とサイドフレーム４の内壁との密着度を高めることを可能にしている。
【００４５】
次に、図において１２はサイドフレーム４に備えたフィンである。即ち、本実施例のシートシャッター１では、前記シール部材１１の外側（他方のサイドフレーム側）に、前記シート５の上下方向に亘ってシート５に当接するフィン１２を備えている。
【００４６】
そのため、このフィン１２の存在により、図２に示すように、シート５の外側に対して建物等の内部を完全に密閉することが可能である。
【００４７】
従って、本実施例のシートシャッター１では、シール部材１１の存在によりサイドフレーム４とシート５との密着度を高めることができるとともに、何らかの原因でサイドフレーム４とシート５との間からゴミ、虫等が建物内側に入り込もうとした場合でも、フィン１２の存在によりその浸入を防止することが可能である。
【００４８】
また、それとともに、図７にも示されるように、シート５の下端に連結したフィン１６により、シート５を下降させた際には、フィン１６がシートと床面とを完全にシールすることが可能である。
【００４９】
なお、本実施例において前記シール部材１１は中空のゴム製としており、及び、フィン１２も柔軟で変形可能なゴム製としている。
【００５０】
また、本実施例においては、前記サイドフレーム４の内壁と前記シール部材１１との間に取付金具１２０１を取り付けて、この取付金具１２０１に前記フィン１２を、フィン１２がシート５に当接可能な配置で連結している。
【００５１】
次に、図７において１３は仕切板である。即ち、本実施例において前記サイドフレーム４内において、前記シール部材１１に対向する側の内壁の下方部分には、シール部材１１側に向けて、下側に行くに従ってテーパー状にサイドフレーム４内に張り出した仕切板１３を突出している。そしてこの仕切板１３の存在により、前記シート５に強風等が吹き付けた場合でも、シート５の下端部分が大きく揺れることを有効に防止することを可能としている。
【００５２】
次に、このように構成される本実施例のシートシャッター１の作用について説明すると、本実施例のシートシャッター１では、シート５における、工場、倉庫等の外部側の面に、芯材収容部９を用いて芯材１０を備えており、これにより、シート５における建物の内部側の面を全面に亘りフラットにしているため、シート５とサイドフレーム４とを密着させることができ、建物内の密閉度を高めることが可能である。
【００５３】
そしてそのとき、本実施例のシートシャッター１では、前記サイドフレーム４内において、シート５のフラットな面に対向する箇所に、上下方向全域に亘りシール部材１１を備えているため、シート５とサイドフレーム４の内壁との密着度をより高めることが可能であり、更に、サイドフレーム４の外側にはシート５に当接するフィン１２を有しているために、何らかの原因でサイドフレーム４とシート５との間からゴミ、虫等が建物内側に入り込もうとした場合でも、フィン１２の存在によりその浸入を防止することが可能である。
【００５４】
更にまた、前記サイドフレーム４内において、前記シール部材１１に対向する側の内壁の下方部分に、下側に行くに従ってテーパー状にサイドフレーム４内に張り出した仕切板１３を備えているため、シート５に強風等が吹き付けた場合でもシート５の下端部分が大きく揺れることを有効に防止することができ、サイドフレーム４の内壁とシート５との密着度を維持することが可能である。
【００５５】
また、シート５の下端にはフィン１６を備え、シート５を下降させてシート５の下端に備えて芯材１０が床面近傍に至った際に、フィン１６が床面に当接して、シート５と床面とを完全にシールすることを可能としているため、これによってシートの下端部分においてシートと床面とをシール可能であり、シート５と床面との間からゴミ、虫等の建物内側への浸入を防止することも可能である。
【００５６】
このように、本実施例のシートシャッター１では、シートの両端部分とサイドフレームの内壁との密着度を高めることが可能であり、更に、シートと床面との密着度を高めることも可能であるために、建物内の密閉度を高め、ゴミ、虫等が屋内に侵入することを有効に防止することができる。
【００５７】
なお、本発明のシートシャッター１では、シート５における芯材を備えた面と異なる面を全面に亘りフラットにするとともに、このフラットにした面と当接するサイドフレームの内壁にゴム製のシール部材を備えていればよく、仕切板は必ずしも必要なものではない。
【産業上の利用可能性】
【００５８】
本発明のシートシャッターでは、芯材に影響されずにシートとサイドフレームとの密閉度を高めることができるため、芯材を備えたシートシャッターの全般に適用可能である。
【符号の説明】
【００５９】
１    シートシャッター
２    フレーム
３    上部フレーム
４    サイドフレーム
５    シート
６    回転シャフト
７    モーター
８    ベルト（牽引部材）
９    芯材収容部
１０    芯材
１１    シール部材（ゴム）
１２    フィン
１３    仕切板
１４    吊り下げ用シャフト
１５    プーリー
１６    フィン
【図１】
2010248717.tif 000003
【図２】
2010248717.tif 000004
【図３】
2010248717.tif 000005
【図４】
2010248717.tif 000006
【図５】
2010248717.tif 000007
【図６】
2010248717.tif 000008
【図７】
2010248717.tif 000009
【図８】
2010248717.tif 000010
【図９】
2010248717.tif 000011
【図１０】
2010248717.tif 000012